(57)【要約】【課題】焼却炉での燃費の低下を抑制しつつ、焼却炉へ供給される酸素含有ガスの量を調整することが可能な廃棄物処理設備を提供すること。【解決手段】廃棄物処理設備であって、焼却炉（１０）と、過給機（２０）と、予熱器（３０）と、酸素含有ガス供給流路（Ｌ１）と、予熱器（３０）及びタービン（２２）をバイパスするように酸素含有ガス供給流路（Ｌ１）に接続されたバイパス流路（Ｌ２）と、バイパス流路（Ｌ２）を流れる酸素含有ガスと焼却炉（１０）から排出された排ガスとを熱交換させることによって当該酸素含有ガスを加熱する加熱器（４０）と、を備えること。【選択図】図１
2019132523.tif 000002
【特許請求の範囲】
【請求項１】
廃棄物を処理する廃棄物処理設備であって、
前記廃棄物を焼却する焼却炉と、
酸素を含むガスである酸素含有ガスを圧縮するコンプレッサ、及び、前記コンプレッサに接続されており当該コンプレッサを駆動可能なタービンを含む過給機と、
前記コンプレッサから吐出された酸素含有ガスと前記焼却炉から排出された排ガスとを熱交換させることによって当該酸素含有ガスを加熱する予熱器と、
前記コンプレッサ、前記予熱器、前記タービン及び前記焼却炉をこの順に接続しており、前記コンプレッサから吐出された酸素含有ガスを前記焼却炉に供給するための酸素含有ガス供給流路と、
前記予熱器及び前記タービンをバイパスするように前記酸素含有ガス供給流路に接続されたバイパス流路と、
前記バイパス流路を流れる酸素含有ガスと前記焼却炉から排出された排ガスとを熱交換させることによって当該酸素含有ガスを加熱する加熱器と、を備える、廃棄物処理設備。
【請求項２】
請求項１に記載の廃棄物処理設備において、
前記バイパス流路に設けられたバイパス弁と、
前記焼却炉に供給される前記酸素含有ガスの流量が規定値に維持されるように前記バイパス弁の開度を調整する制御部と、をさらに備える、廃棄物処理設備。
【請求項３】
請求項２に記載の廃棄物処理設備において、
前記バイパス流路のうち前記バイパス弁と前記加熱器との間の部位に酸素を含むガスである酸素含有ガスを供給可能な送風機をさらに備え、
前記制御部は、前記加熱器に流入する前記酸素含有ガスの流量が基準値以上になるように前記送風機の回転数を調整する、廃棄物処理設備。
【請求項４】
請求項２又は３に記載の廃棄物処理設備において、
前記排ガスが流れる排ガス流路をさらに備え、
前記加熱器は、前記排ガス流路のうち前記予熱器の上流側の部位に設けられている、廃棄物処理設備。
【請求項５】
請求項２ないし４のいずれかに記載の廃棄物処理設備において、
前記バイパス流路のうち前記加熱器の下流側の部位から分岐するとともに、前記酸素含有ガスが前記加熱器で受け取った熱を利用する熱利用部に接続される分岐流路と、
前記分岐流路に設けられた開閉弁と、をさらに備え、
前記制御部は、前記熱利用部に供給される前記酸素含有ガスの流量が設定値に維持されるように前記開閉弁の開度を調整する、廃棄物処理設備。
【発明の詳細な説明】
【技術分野】
【０００１】
本発明は、廃棄物を処理する廃棄物処理設備に関するものである。
【背景技術】
【０００２】
従来、廃棄物を処理する廃棄物処理設備が知られている。例えば、特許文献１には、廃棄物を燃焼させる燃焼炉と、コンプレッサ部及びタービン部を含む過給機と、熱交換部と、圧縮空気管及び燃焼炉接続管と、第２管と、第２弁と、を備える廃棄物処理設備が開示されている。
【０００３】
コンプレッサ部は、外部から吸い込んだ空気を圧縮する。タービン部は、コンプレッサ部に接続されており当該コンプレッサ部を駆動する。熱交換部は、コンプレッサ部から吐出された空気と燃焼炉から排出された排ガスとを熱交換させることによって空気を加熱する。圧縮空気管は、コンプレッサ部とタービン部とを接続しており、燃焼炉接続管は、タービン部と燃焼炉とを接続している。つまり、圧縮空気管及び燃焼炉接続管は、コンプレッサ部から吐出された空気を燃焼炉での廃棄物の焼却に必要な燃焼空気として燃焼炉に導く流路である。第２管の一端は、圧縮空気管のうちコンプレッサ部と熱交換部との間に接続されており、第２管の他端は、燃焼炉接続管のうちタービン部と燃焼炉との間の部位に接続されている。すなわち、第２管を流れる空気は、熱交換部及びタービン部をバイパスして燃焼炉接続管に合流する。この第２管に第２弁が設けられている。
【０００４】
特許文献１に記載の廃棄物処理設備では、当該設備の運転状況に応じて第２弁の開度が調整されることにより、コンプレッサ部から吐出された空気のタービン部への流入量、つまり、過給機の回転数（燃焼炉への空気の供給量）が調整される。
【先行技術文献】
【特許文献】
【０００５】
【特許文献１】特開２０１７−１９０９３０号公報
【発明の概要】
【発明が解決しようとする課題】
【０００６】
特許文献１に記載されるような廃棄物処理設備では、コンプレッサ部から吐出された空気のうち第２管を通じて燃焼炉接続管に合流する空気は、熱交換部において排ガスで加熱されないので、第２管を通る空気の流量が増大するにしたがって焼却炉に供給される空気の温度が低下する。この結果、燃焼炉での燃費が低下する（燃焼炉への補助燃料の供給量が増える）。
【０００７】
本発明の目的は、焼却炉での燃費の低下を抑制しつつ、焼却炉へ供給される酸素含有ガスの量を調整することが可能な廃棄物処理設備を提供することである。
【課題を解決するための手段】
【０００８】
前記課題を解決する手段として、本発明は、廃棄物を処理する廃棄物処理設備であって、前記廃棄物を焼却する焼却炉と、酸素を含むガスである酸素含有ガスを圧縮するコンプレッサ、及び、前記コンプレッサに接続されており当該コンプレッサを駆動可能なタービンを含む過給機と、前記コンプレッサから吐出された酸素含有ガスと前記焼却炉から排出された排ガスとを熱交換させることによって当該酸素含有ガスを加熱する予熱器と、前記コンプレッサ、前記予熱器、前記タービン及び前記焼却炉をこの順に接続しており、前記コンプレッサから吐出された酸素含有ガスを前記焼却炉に供給するための酸素含有ガス供給流路と、前記予熱器及び前記タービンをバイパスするように前記酸素含有ガス供給流路に接続されたバイパス流路と、前記バイパス流路を流れる酸素含有ガスと前記焼却炉から排出された排ガスとを熱交換させることによって当該酸素含有ガスを加熱する加熱器と、を備える、廃棄物処理設備を提供する。
【０００９】
本廃棄物処理設備は、バイパス流路を備えているので、過給機の回転数、つまり、焼却炉へ供給される酸素含有ガスの量を調整することが可能であり、また、バイパス流路に流入した酸素含有ガスが酸素含有ガス供給流路に合流するまでに当該酸素含有ガスを排ガスにより加熱する加熱器を備えているので、焼却炉に供給される酸素含有ガスの温度の低下（焼却炉での燃費の低下）が抑制される。
【００１０】
また、前記廃棄物処理設備において、前記バイパス流路に設けられたバイパス弁と、前記焼却炉に供給される前記酸素含有ガスの流量が規定値に維持されるように前記バイパス弁の開度を調整する制御部と、をさらに備えることが好ましい。
【００１１】
このようにすれば、焼却炉に供給される酸素含有ガスの流量が自動的に概ね規定値に維持される。例えば、制御部は、焼却炉に供給される酸素含有ガスの流量が規定値よりも少なくなった場合に、バイパス弁の開度を小さくする。そうすると、コンプレッサから吐出された酸素含有ガスのうちタービンへ流入する酸素含有ガスの流量（過給機の回転数）が増大するので、焼却炉に供給される酸素含有ガスの流量が増大する。
【００１２】
また、前記廃棄物処理設備において、前記バイパス流路のうち前記バイパス弁と前記加熱器との間の部位に酸素を含むガスである酸素含有ガスを供給可能な送風機をさらに備え、前記制御部は、前記加熱器に流入する前記酸素含有ガスの流量が基準値以上になるように前記送風機の回転数を調整することが好ましい。
【００１３】
このようにすれば、加熱器に流入する酸素含有ガスの流量、つまり、加熱器において排ガスで加熱されてから酸素含有ガス供給流路に合流する酸素含有ガスの流量が確保される。よって、バイパス流路に流入する酸素含有ガスの流量が減少した場合における加熱器の損傷が抑制され、かつ焼却炉に供給される酸素含有ガスの流量が有効に確保される。
【００１４】
また、前記廃棄物処理設備において、前記排ガスが流れる排ガス流路をさらに備え、前記加熱器は、前記排ガス流路のうち前記予熱器の上流側の部位に設けられていることが好ましい。
【００１５】
このようにすれば、加熱器において排ガスが酸素含有ガスによって冷却されるので、予熱器に流入する排ガスの温度が有効に低下する。このため、バイパス流路へ流入する酸素含有ガスの流量が多くなったとしても、予熱器から排出された酸素含有ガスの温度、つまり、タービンに流入する酸素含有ガスの温度が過度に上昇すること、及び、それに起因するタービンの損傷が抑制される。
【００１６】
また、前記廃棄物処理設備において、前記バイパス流路のうち前記加熱器の下流側の部位から分岐するとともに、前記酸素含有ガスが前記加熱器で受け取った熱を利用する熱利用部に接続される分岐流路と、前記分岐流路に設けられた開閉弁と、をさらに備え、前記制御部は、前記熱利用部に供給される前記酸素含有ガスの流量が設定値に維持されるように前記開閉弁の開度を調整することが好ましい。
【００１７】
このようにすれば、焼却炉への酸素含有ガスの供給量の確保と、バイパス流路に流入した酸素含有ガスの余剰分の熱利用部での有効利用と、の双方が達成される。
【発明の効果】
【００１８】
以上のように、本発明によれば、焼却炉での燃費の低下を抑制しつつ、焼却炉へ供給される酸素含有ガスの量を調整することが可能な廃棄物処理設備を提供することが可能となる。
【図面の簡単な説明】
【００１９】
【図１】本発明の第１実施形態の廃棄物処理設備の概略を示す図である。
【図２】図１に示される廃棄物処理設備の制御部の制御内容を示すフローチャートである。
【図３】図１に示される廃棄物処理設備の制御部の制御内容を示すフローチャートである。
【図４】本発明の第２実施形態の廃棄物処理設備の概略を示す図である。
【図５】図４に示される廃棄物処理設備の制御部の制御内容を示すフローチャートである。
【発明を実施するための形態】
【００２０】
本発明の好ましい実施形態について、以下、図面を参照しながら説明する。
【００２１】
（第１実施形態）
本発明の第１実施形態の廃棄物処理設備について、図１〜図３を参照しながら説明する。
【００２２】
図１に示されるように、本実施形態の廃棄物処理設備は、焼却炉１０と、過給機２０と、予熱器３０と、酸素含有ガス供給流路Ｌ１と、バイパス流路Ｌ２と、バイパス弁Ｖ１と、加熱器４０と、制御部５０と、送風機６０と、を備えている。
【００２３】
焼却炉１０は、下水の汚泥等の廃棄物を焼却する炉である。この焼却炉１０から排出される排ガスは、当該焼却炉１０に接続された排ガス流路Ｌを流れる。
【００２４】
過給機２０は、コンプレッサ２１と、タービン２２と、を有している。コンプレッサ２１は、酸素を含有する酸素含有ガス（空気等）を圧縮する。タービン２２は、コンプレッサ２１に接続されている。このため、タービン２２の回転によりコンプレッサ２１が駆動される。
【００２５】
予熱器３０は、焼却炉１０から排出された排ガス（排ガス流路Ｌを流れる排ガス）によってコンプレッサ２１から吐出された酸素含有ガスを加熱する。なお、予熱器３０において酸素含有ガスを加熱した後に当該予熱器３０から排出された排ガスは、予熱器３０の下流側に配置される処理設備で適宜処理される。
【００２６】
酸素含有ガス供給流路Ｌ１は、コンプレッサ２１、予熱器３０、タービン２２及び焼却炉１０をこの順に接続している。このため、コンプレッサ２１から吐出された酸素含有ガスは、予熱器３０及びタービン２２を経由して燃焼用ガスとして焼却炉１０に供給される。
【００２７】
バイパス流路Ｌ２は、予熱器３０及びタービン２２をバイパスするように酸素含有ガス供給流路Ｌ１に接続されている。つまり、バイパス流路Ｌ２の上流側の端部は、酸素含有ガス供給流路Ｌ１のうちコンプレッサ２１と予熱器３０との間の部位に接続されており、バイパス流路Ｌ２の下流側の端部は、酸素含有ガス供給流路Ｌ１のうちタービン２２と焼却炉１０との間の部位に接続されている。
【００２８】
バイパス弁Ｖ１は、バイパス流路Ｌ２に設けられており、開度の調整が可能である。
【００２９】
加熱器４０は、バイパス流路Ｌ２を流れる酸素含有ガスと排ガス流路Ｌを流れる排ガスとを熱交換させることによって当該酸素含有ガスを加熱する。本実施形態では、加熱器４０は、排ガス流路Ｌのうち予熱器３０よりも上流側の部位に設けられている。ただし、加熱器４０は、排ガス流路Ｌのうち予熱器３０よりも下流側の部位に設けられてもよい。
【００３０】
送風機６０は、バイパス流路Ｌ２のうちバイパス弁Ｖ１と加熱器４０との間の部位に酸素を含むガスである酸素含有ガス（空気等）を供給可能である。
【００３１】
制御部５０は、バイパス弁Ｖ１の開度及び送風機６０の回転数をＰＩＤ制御等により調整する。具体的に、制御部５０は、焼却炉１０に供給される酸素含有ガスの流量が規定値Ｆαに維持されるようにバイパス弁Ｖ１の開度を調整するバイパス弁調整部５１と、加熱器４０に流入する酸素含有ガスの流量が基準値Ｆβ以上になるように送風機６０の回転数を調整する回転数調整部５２と、を有する。バイパス弁調整部５１によるバイパス弁Ｖ１の開度の調整及び回転数調整部５２による送風機６０の回転数の調整は、時間的に並列的に行われる。例えば、回転数調整部５２による送風機６０の回転数の調整速度（応答速度）は、バイパス弁調整部５１によるバイパス弁Ｖ１の開度の調整速度（応答速度）よりも小さく設定される。これにより、ハンチングが抑制される。なお、焼却炉１０に供給される酸素含有ガスの流量は、酸素含有ガス供給流路Ｌ１のうちバイパス流路Ｌ２の下流側の端部と焼却炉１０との間の部位に設けられた流量センサ８１によって検出される。加熱器４０に流入する酸素含有ガスの流量は、バイパス流路Ｌ２送風機６０と加熱器４０との間の部位に設けられた流量センサ８２によって検出される。
【００３２】
以下、図２を参照しながら、バイパス弁調整部５１の制御内容について説明し、その後、図３を参照しながら、回転数調整部５２の制御内容について説明する。
【００３３】
図２に示されるように、制御部５０のバイパス弁調整部５１は、まず、焼却炉１０に供給される酸素含有ガスの流量Ｆ１が規定値Ｆα未満であるか否かを判断する（ステップＳＴ１１）。この結果、前記流量Ｆ１が規定値Ｆα未満である場合、バイパス弁調整部５１は、バイパス弁Ｖ１の開度を下げる（ステップＳＴ１２）。これにより、バイパス流路Ｌ２に流入する酸素含有ガスの流量が減るとともに、コンプレッサ２１から吐出された酸素含有ガスのうち予熱器３０を経由してタービン２２に流入する酸素含有ガスの流量が増えるので、過給機２０の回転数が上がる。このため、焼却炉１０への酸素含有ガスの供給量（流量センサ８１の検出値Ｆ１）が増大する。
【００３４】
一方、ステップＳＴ１１において前記流量Ｆ１が規定値Ｆα以上である場合、バイパス弁調整部５１は、前記流量Ｆ１が規定値Ｆαよりも大きいか否かを判断する（ステップＳＴ１３）。この結果、前記流量Ｆ１が規定値Ｆαよりも大きい場合、バイパス弁調整部５１は、バイパス弁Ｖ１の開度を上げる（ステップＳＴ１４）。これにより、バイパス流路Ｌ２に流入する酸素含有ガスの流量が増えるとともに、コンプレッサ２１から吐出された酸素含有ガスのうち予熱器３０を経由してタービン２２に流入する酸素含有ガスの流量が減るので、過給機２０の回転数が下がる。このため、焼却炉１０への酸素含有ガスの供給量（流量センサ８１の検出値Ｆ１）が減少する。
【００３５】
そして、ステップＳＴ１２又はステップＳＴ１４の後、あるいは、ステップＳＴ１３において前記流量Ｆ１が規定値Ｆα以下の場合、つまり、前記流量Ｆ１が規定値Ｆαに等しい場合、バイパス弁調整部５１は、焼却炉１０を停止するか否か（焼却炉１０の停止を指示する指示信号を受信したか否か）を判断する（ステップＳＴ１５）。その結果、焼却炉１０を停止しない場合、バイパス弁調整部５１は、再びステップＳＴ１１に戻り、焼却炉１０を停止する場合、バイパス弁調整部５１は、制御を終了する。
【００３６】
次に、回転数調整部５２について説明する。
【００３７】
図３に示されるように、回転数調整部５２は、まず、加熱器４０に供給される酸素含有ガスの流量Ｆ２が基準値Ｆβ未満であるか否かを判断する（ステップＳＴ２１）。この結果、前記流量Ｆ２が基準値Ｆβ未満である場合、回転数調整部５２は、送風機６０の回転数を上げる（ステップＳＴ２２）。これにより、加熱器４０を経由して酸素含有ガス供給流路Ｌ１に合流する酸素含有ガスの流量が増大する。このため、バイパス流路Ｌ２に流入する酸素含有ガスの流量が減少した場合においても、加熱器４０において排ガスが酸素含有ガスにより十分に冷却されるので、加熱器４０の損傷が抑制され、かつ焼却炉１０への酸素含有ガスの供給量（流量センサ８１の検出値Ｆ１）が有効に確保される。
【００３８】
一方、ステップＳＴ２１において前記流量Ｆ２が基準値Ｆβ以上である場合、回転数調整部５２は、前記流量Ｆ２が基準値Ｆβよりも大きいか否かを判断する（ステップＳＴ２３）。この結果、前記流量Ｆ２が基準値Ｆβよりも大きい場合、回転数調整部５２は、送風機６０の回転数を下げる（ステップＳＴ２４）。これにより、加熱器４０を経由して酸素含有ガス供給流路Ｌ１に合流する酸素含有ガスの流量が減少する。
【００３９】
そして、ステップＳＴ２２又はステップＳＴ２４の後、あるいは、ステップＳＴ２３において前記流量Ｆ２が基準値Ｆβ以下の場合、つまり、前記流量Ｆ２が基準値Ｆβに等しい場合、回転数調整部５２は、焼却炉１０を停止するか否か（焼却炉１０の停止を指示する指示信号を受信したか否か）を判断する（ステップＳＴ２５）。その結果、焼却炉１０を停止しない場合、回転数調整部５２は、再びステップＳＴ２１に戻り、焼却炉１０を停止する場合、回転数調整部５２、制御を終了する。
【００４０】
以上に説明したように、本実施形態の廃棄物処理設備は、バイパス流路Ｌ２を備えているので、過給機２０の回転数、つまり、焼却炉１０へ供給される酸素含有ガスの流量Ｆ１を調整することが可能であり、また、バイパス流路Ｌ２に流入した酸素含有ガスが酸素含有ガス供給流路Ｌ１に合流するまでに当該酸素含有ガスを排ガスにより加熱する加熱器４０を備えているので、焼却炉１０に供給される酸素含有ガスの温度の低下（焼却炉１０での燃費の低下）が抑制される。
【００４１】
また、本実施形態の廃棄物処理設備は、バイパス弁Ｖ１とバイパス弁調整部５１とを有しているので、焼却炉１０に供給される酸素含有ガスの流量が自動的に概ね規定値Ｆαに維持される。
【００４２】
また、本実施形態の廃棄物処理設備は、送風機６０及び回転数調整部５２を有しているので、加熱器４０に流入する酸素含有ガスの流量Ｆ２、つまり、加熱器４０において排ガスで加熱されてから酸素含有ガス供給流路Ｌ１に合流する酸素含有ガスの流量が確保される。よって、バイパス流路Ｌ２に流入する酸素含有ガスの流量が減少した場合における加熱器４０の損傷が抑制され、かつ焼却炉１０に供給される酸素含有ガスの流量Ｆ１が有効に確保される。
【００４３】
また、本実施形態の廃棄物処理設備では、加熱器４０は、排ガス流路Ｌのうち予熱器３０の上流側の部位に設けられているので、すなわち、加熱器４０において排ガスが酸素含有ガスによって冷却されるので、予熱器３０に流入する排ガスの温度が有効に低下する。このため、バイパス流路Ｌ２へ流入する酸素含有ガスの流量が多くなったとしても、予熱器３０から排出された酸素含有ガスの温度、つまり、タービン２２に流入する酸素含有ガスの温度が過度に上昇すること、及び、それに起因するタービン２２の損傷が抑制される。
【００４４】
（第２実施形態）
次に、図４及び図５を参照しながら、本発明の第２実施形態の廃棄物処理設備について説明する。なお、第２実施形態では、第１実施形態と異なる部分についてのみ説明を行い、第１実施形態と同じ構造、作用及び効果の説明は省略する。
【００４５】
本実施形態の廃棄物処理設備は、分岐流路Ｌ３及び開閉弁Ｖ２をさらに備えており、また、制御部５０は、開閉弁調整部５３をさらに有している。
【００４６】
分岐流路Ｌ３は、バイパス流路Ｌ２のうち加熱器４０の下流側の部位から分岐している。この分岐流路Ｌ３は、酸素含有ガスが加熱器４０で受け取った熱を利用する白煙防止塔等の熱利用部７０に接続される。
【００４７】
開閉弁Ｖ２は、分岐流路Ｌ３に設けられており、開度の調整が可能である。
【００４８】
開閉弁調整部５３は、熱利用部に供給される酸素含有ガスの流量が設定値Ｆγに維持されるように、開閉弁Ｖ２の開度を調整する。この開閉弁調整部５３の具体的な制御内容を図５を参照しながら説明する。なお、熱利用部に供給される酸素含有ガスの流量は、分岐流路Ｌ３のうち開閉弁Ｖ２の下流側の部位に設けられた流量センサ８３によって検出される。
【００４９】
図５に示されるように、開閉弁調整部５３は、まず、熱利用部に供給される酸素含有ガスの流量Ｆ３が設定値Ｆγ未満であるか否かを判断する（ステップＳＴ３１）。この結果、前記流量Ｆ３が設定値Ｆγ未満である場合、開閉弁調整部５３は、開閉弁Ｖ２の開度を上げる（ステップＳＴ３２）。これにより、分岐流路Ｌ３に流入する酸素含有ガスの流量が増える。
【００５０】
一方、ステップＳＴ３１において前記流量Ｆ３が設定値Ｆγ以上である場合、開閉弁調整部５３は、前記流量Ｆ３が設定値Ｆγよりも大きいか否かを判断する（ステップＳＴ３３）。この結果、前記流量Ｆ３が設定値Ｆγよりも大きい場合、開閉弁調整部５３は、開閉弁Ｖ２の開度を下げる（ステップＳＴ３４）。これにより、分岐流路Ｌ３に流入する酸素含有ガスの流量が減る。
【００５１】
そして、ステップＳＴ３２又はステップＳＴ３４の後、あるいは、ステップＳＴ３３において前記流量Ｆ３が設定値Ｆγ以下の場合、つまり、前記流量Ｆ３が設定値Ｆγに等しい場合、開閉弁調整部５３は、焼却炉１０を停止するか否か（焼却炉１０の停止を指示する指示信号を受信したか否か）を判断する（ステップＳＴ３５）。その結果、焼却炉１０を停止しない場合、開閉弁調整部５３は、再びステップＳＴ３１に戻り、焼却炉１０を停止する場合、開閉弁調整部５３は、制御を終了する。
【００５２】
以上に説明したように、本実施形態では、焼却炉１０への酸素含有ガスの供給量の確保と、バイパス流路Ｌ２に流入した酸素含有ガスの余剰分の熱利用部での有効利用と、の双方が達成される。
【００５３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
例えば、送風機６０及び回転数調整部５２は、省略されてもよい。
【００５５】
また、バイパス弁調整部５１が省略され、バイパス弁Ｖ１の開度が手動で調整されてもよい。同様に、開閉弁調整部５３が省略され、開閉弁Ｖ２の開度が手動で調整されてもよい。
【符号の説明】
【００５６】
１０    焼却炉
２０    過給機
２１    コンプレッサ
２２    タービン
３０    予熱器
４０    過熱器
５０    制御部
５１    バイパス弁調整部
５２    回転数調整部
５３    開閉弁調整部
６０    送風機
Ｌ      排ガス流路
Ｌ１    酸素含有ガス供給流路
Ｌ２    バイパス流路
Ｌ３    分岐流路
Ｖ１    バイパス弁
Ｖ２    開閉弁
【図１】
2019132523.tif 000003
【図２】
2019132523.tif 000004
【図３】
2019132523.tif 000005
【図４】
2019132523.tif 000006
【図５】
2019132523.tif 000007
【手続補正書】
【提出日】平成30年6月7日(2018.6.7)
【手続補正１】
【補正対象書類名】明細書
【補正対象項目名】００１０
【補正方法】変更
【補正の内容】
【００１０】
また、前記廃棄物処理設備は、前記バイパス流路に設けられたバイパス弁と、前記焼却炉に供給される前記酸素含有ガスの流量が規定値に維持されるように前記バイパス弁の開度を調整する制御部と、をさらに備える。
【手続補正２】
【補正対象書類名】明細書
【補正対象項目名】００１２
【補正方法】変更
【補正の内容】
【００１２】
さらに、この出願の第１の発明に係る廃棄物処理設備は、前記バイパス流路のうち前記バイパス弁と前記加熱器との間の部位に酸素を含むガスである酸素含有ガスを供給可能な送風機をさらに備え、前記制御部は、前記加熱器に流入する前記酸素含有ガスの流量が基準値以上になるように前記送風機の回転数を調整する。
【手続補正３】
【補正対象書類名】明細書
【補正対象項目名】００１６
【補正方法】変更
【補正の内容】
【００１６】
また、この出願の第２の発明に係る廃棄物処理設備は、前記バイパス流路のうち前記加熱器の下流側の部位から分岐するとともに、前記酸素含有ガスが前記加熱器で受け取った熱を利用する熱利用部に接続される分岐流路と、前記分岐流路に設けられた開閉弁と、をさらに備え、前記制御部は、前記熱利用部に供給される前記酸素含有ガスの流量が設定値に維持されるように前記開閉弁の開度を調整する。
【手続補正４】
【補正対象書類名】特許請求の範囲
【補正対象項目名】全文
【補正方法】変更
【補正の内容】
【特許請求の範囲】
【請求項１】
廃棄物を処理する廃棄物処理設備であって、
前記廃棄物を焼却する焼却炉と、
酸素を含むガスである酸素含有ガスを圧縮するコンプレッサ、及び、前記コンプレッサに接続されており当該コンプレッサを駆動可能なタービンを含む過給機と、
前記コンプレッサから吐出された酸素含有ガスと前記焼却炉から排出された排ガスとを熱交換させることによって当該酸素含有ガスを加熱する予熱器と、
前記コンプレッサ、前記予熱器、前記タービン及び前記焼却炉をこの順に接続しており、前記コンプレッサから吐出された酸素含有ガスを前記焼却炉に供給するための酸素含有ガス供給流路と、
前記予熱器及び前記タービンをバイパスするように前記酸素含有ガス供給流路に接続されたバイパス流路と、
前記バイパス流路を流れる酸素含有ガスと前記焼却炉から排出された排ガスとを熱交換させることによって当該酸素含有ガスを加熱する加熱器と、
前記バイパス流路に設けられたバイパス弁と、
前記焼却炉に供給される前記酸素含有ガスの流量が規定値に維持されるように前記バイパス弁の開度を調整する制御部と、
前記バイパス流路のうち前記バイパス弁と前記加熱器との間の部位に酸素を含むガスである酸素含有ガスを供給可能な送風機と、を備え、
前記制御部は、前記加熱器に流入する前記酸素含有ガスの流量が基準値以上になるように前記送風機の回転数を調整する、廃棄物処理設備。
【請求項２】
廃棄物を処理する廃棄物処理設備であって、
前記廃棄物を焼却する焼却炉と、
酸素を含むガスである酸素含有ガスを圧縮するコンプレッサ、及び、前記コンプレッサに接続されており当該コンプレッサを駆動可能なタービンを含む過給機と、
前記コンプレッサから吐出された酸素含有ガスと前記焼却炉から排出された排ガスとを熱交換させることによって当該酸素含有ガスを加熱する予熱器と、
前記コンプレッサ、前記予熱器、前記タービン及び前記焼却炉をこの順に接続しており、前記コンプレッサから吐出された酸素含有ガスを前記焼却炉に供給するための酸素含有ガス供給流路と、
前記予熱器及び前記タービンをバイパスするように前記酸素含有ガス供給流路に接続されたバイパス流路と、
前記バイパス流路を流れる酸素含有ガスと前記焼却炉から排出された排ガスとを熱交換させることによって当該酸素含有ガスを加熱する加熱器と、
前記バイパス流路に設けられたバイパス弁と、
前記焼却炉に供給される前記酸素含有ガスの流量が規定値に維持されるように前記バイパス弁の開度を調整する制御部と、
前記バイパス流路のうち前記加熱器の下流側の部位から分岐するとともに、前記酸素含有ガスが前記加熱器で受け取った熱を利用する熱利用部に接続される分岐流路と、
前記分岐流路に設けられた開閉弁と、を備え、
前記制御部は、前記熱利用部に供給される前記酸素含有ガスの流量が設定値に維持されるように前記開閉弁の開度を調整する、廃棄物処理設備。
【請求項３】
請求項１または２に記載の廃棄物処理設備において、
前記排ガスが流れる排ガス流路をさらに備え、
前記加熱器は、前記排ガス流路のうち前記予熱器の上流側の部位に設けられている、廃棄物処理設備。